(57)【要約】【課題】本発明の目的は、ＣＹＰ２Ｃ８により代謝される薬物を医薬品として投与する場合に、ＣＹＰ２Ｃ８により代謝される薬物の投与量を調節し、その副作用を避ける方法を提供することである。【解決手段】本発明で新たに見出されたＣＹＰ２Ｃ８の４７１番目の塩基欠失をもつヒトでは、活性を持たないＣＹＰ２Ｃ８を発現することから、体内に投与されたＣＹＰ２Ｃ８の基質となる薬物が正常に代謝されず、体内薬物濃度の上昇を招き、副作用の発現を招くと推定された。ＣＹＰ２Ｃ８により代謝される薬物の投与前に、この一塩基欠失を調べることによりＣＹＰ２Ｃ８により代謝される薬物の投与量を調節し、副作用の発現を抑制することが可能である。【選択図】　なし【特許請求の範囲】
【請求項１】
ＣＹＰ２Ｃ８タンパク質の半分以上の欠失を引き起こすＣＹＰ２Ｃ８遺伝子の多型を検出する工程を含む、ＣＹＰ２Ｃ８により代謝される薬物に対する代謝活性の検査方法。
【請求項２】
多型が一塩基欠失である、請求項１に記載の検査方法。
【請求項３】
ＣＹＰ２Ｃ８遺伝子の一塩基欠失が、ＣＹＰ２Ｃ８の１５９番目のアミノ酸からの置換をもたらし、さらに１７６番目のアミノ酸までで翻訳を終止させる（１７７番目が終止コドンとなる）ものである、請求項２に記載の検査方法。
【請求項４】
以下の（ａ）〜（ｃ）の工程を含む、請求項１〜３のいずれかに記載のＣＹＰ２Ｃ８により代謝される薬物に対する代謝活性の検査方法。
（ａ）被検者から調製されたＤＮＡ試料よりＣＹＰ２Ｃ８遺伝子を含むＤＮＡを単離する工程（ｂ）単離したＤＮＡ試料の塩基配列を決定する工程
（ｃ）（ｂ）において決定したＤＮＡの塩基配列を、対照と比較する工程
【請求項５】
以下の（ａ）〜（ｄ）の工程を含む、請求項１〜３のいずれかに記載のＣＹＰ２Ｃ８により代謝される薬物に対する代謝活性の検査方法。
（ａ）４７１番目の塩基部位を含むＣＹＰ２Ｃ８遺伝子断片をヌクレオチドプローブとして基板上に固定する工程
（ｂ）被検者から調製されたＤＮＡ試料よりＣＹＰ２Ｃ８遺伝子の４７１番目の塩基部位を含むＤＮＡを単離する工程
（ｃ）（ｂ）で単離したＤＮＡを（ａ）の基板と接触させる工程
（ｄ）該ＤＮＡと該基板上に固定されたヌクレオチドプローブとのハイブリダイズの強度を検出することにより、ＣＹＰ２Ｃ８遺伝子多型を検出する工程
【請求項６】
ＣＹＰ２Ｃ８遺伝子の多型を、抗体を用いて該遺伝子の変異の結果生じるアミノ酸配列の変異として検出する、請求項１〜３のいずれかに記載のＣＹＰ２Ｃ８により代謝される薬物に対する代謝活性の検査方法。
【請求項７】
ＣＹＰ２Ｃ８遺伝子の４７１番目を含む領域に対応するＤＮＡにハイブリダイズし、少なくとも１５ヌクレオチドの鎖長を有するオリゴヌクレオチドを含む、ＣＹＰ２Ｃ８により代謝される薬物に対する代謝活性の検査薬。
【請求項８】
ＣＹＰ２Ｃ８遺伝子の４７１番目を含む領域に対応するＤＮＡにハイブリダイズするヌクレオチドプローブが固定された基板からなる、ＣＹＰ２Ｃ８により代謝される薬物に対する代謝活性の検査薬。
【請求項９】
ＣＹＰ２Ｃ８遺伝子の４７１番目を含む領域に対応するＤＮＡを増幅するように設計されたフォワードプライマー及びリバースプライマーを含む、ＣＹＰ２Ｃ８により代謝される薬物に対する代謝活性の検査薬。
【請求項１０】
以下の（ａ）〜（ｄ）の工程を含む、ＣＹＰ２Ｃ８により代謝される薬物に対する代謝活性を上昇させる医薬品候補化合物のスクリーニング方法。
（ａ）１５９番目のアミノ酸から置換し、さらに１７６番目のアミノ酸までで翻訳が終止する（１７７番目が終止コドンとなる）ＣＹＰ２Ｃ８を発現する細胞を提供する工程
（ｂ）該細胞に対し被験化合物を接触させる工程
（ｃ）被験化合物を接触させた細胞におけるＣＹＰ２Ｃ８活性を検出する工程
（ｄ）被験化合物を接触させない場合の活性と比較して、（ｃ）で検出された活性を増加させる化合物を選択する工程
【請求項１１】
請求項１０記載のスクリーニング方法により得られる化合物を含む、ＣＹＰ２Ｃ８により代謝される薬物に対する代謝活性を上昇させる医薬。
【発明の詳細な説明】
【０００１】
【発明の属する技術分野】
本発明は、代謝酵素ＣＹＰ２Ｃ８またはそれをコードする遺伝子の多型を検出することにより、薬物に対する感受性を予測する方法に関する。
【０００２】
【従来の技術】
一般に、薬物は患者の示す疾患、症状等に応じて投与されるものであるが、個々の患者の薬物に対する反応性には差違がある。しかしながら、従来、そのような個々人の薬物感受性に応じて薬物を投与することは困難であった。通常、投与された薬物は、肝臓の薬物代謝酵素によってより水溶性の物質へと変換され体外に排出されるものである。このような薬物代謝酵素としては特に薬物、ステロイド、発癌物質、毒素のような外因性の化学物質、並びに、ステロイド及び脂肪酸等の内因性の化合物等の酸化代謝を触媒するヘム蛋白質、シトクロムＰ４５０（ＣＹＰ）を挙げることができる。ヒト肝臓中には２０種以上のＣＹＰの分子種が含まれている。ＣＹＰは多くの薬物の代謝に関与し、薬物の体内での動態を律速している。従って、薬物の薬効と安全性を知るためには、特定の薬物がＣＹＰのどの分子種により代謝されるのか、また、いずれかの分子種の活性を阻害若しくは誘導しないか等について正確に知ることが重要である。
【０００３】
遺伝子解析の進歩に伴い、薬物に対する患者の反応性を患者の遺伝子型によって分類することができると報告されている。ＣＹＰ遺伝子については、一塩基多型（ＳＮＰｓ）によりチトクロームの代謝活性が弱められたり、増強されたりすることも知られている（Ｙｏｋｏｉ　Ｔ．及びＫａｍａｔａｋｉ　Ｔ．，　Ｐｈａｒｍａ．Ｒｅｓ．　１５：５１７−５２４　（１９９８）；Ｉｎｇｅｌｍａｎ−Ｓｕｎｄｂｅｒｇ　Ｍ．　ｅｔ　ａｌ．，　Ｔｒｅｎｄｓ　Ｐｈａｒｍａｃｏｌ．Ｓｃｉ．　２０：３４２−３４９　（１９９９））。
【０００４】
ＣＹＰ２Ｃ８遺伝子は、染色体１０ｑ２４．１に位置し（Ｉｎｏｕｅ　Ｋ．　ｅｔ　ａｌ．，　Ｊ．Ｈｕｍ．Ｇｅｎｅｔ．　３９：３３７−３４３　（１９９４））、９個のエクソンから構成される遺伝子である（Ｋｌｏｓｅ　Ｔ．Ｓ．　ｅｔ　ａｌ．，　Ｊ．Ｂｉｏｃｈｅｍ．Ｍｏｌ．Ｔｏｘｉｃｏｌ．　１３：２８９−２９５　（１９９９））。この型のＣＹＰは肝臓、並びに、腎臓、副腎、脳、子宮等を含む多くの肝臓以外の組織で発現されている（前述のＫｌｏｓｅ　Ｔ．Ｓ．　ｅｔ　ａｌ．）。ＣＹＰ２Ｃ８は、抗癌薬パクリタキセル（Ｒａｈｍａｎ　Ａ．　ｅｔ　ａｌ．，　Ｃａｎｃｅｒ　Ｒｅｓ．　５４：５５４３−５５４６　（１９９４）；Ｓｏｎｎｉｃｈｅｓｅｎ　Ｄ．Ｓ．　ｅｔ　ａｌ．，　Ｊ．Ｐｈａｒｍａｃｏｌ．Ｅｘｐ．Ｔｈｅｒ．　２７５：５６６−５７５　（１９９５））、ＨＭＧ−ＣｏＡレダクターゼ阻害剤セリバスタチン（Ｍｕｃｋ　Ｗ．，　Ｃｌｉｎ．Ｐｈａｒｍａｃｏｋｉｎｅｔ．　３９：９９−１１６　（２０００））、抗痙攣薬カルマゼピン（Ｋｅｒｒ　Ｂ．Ｍ．　ｅｔ　ａｌ．，　Ｂｉｏｃｈｅｍ．Ｐｈａｒｍａｃｏｌ．　４７：１９６９−１９７９　（１９９４））、抗糖尿病薬トログリタゾン（Ｙａｍａｚａｋｉ　Ｈ．　ｅｔ　ａｌ．，　Ｄｒｕｇ．Ｍｅｔａｂ．Ｄｉｓｐｏｓ．　２７：１２６０−１２６６　（１９９９））、及び、抗不整脈薬アミオダロン（Ｏｈｙａｍａ　Ｋ．　ｅｔ　ａｌ．，　Ｄｒｕｇ．Ｍｅｔａｂ．Ｄｉｓｐｏｓ．　２８：１３０３−１３１０　（２０００））等の治療薬の代謝に重要な役割を果たしている。ＣＹＰ２Ｃ８はまた、全トランス−レチノイン酸及びアラキドン酸を含むレチノイド、並びに脂肪酸の酸化に関与していることが知られている（Ｎａｄｉｎ　Ｌ．　ｅｔ　ａｌ．，　Ｂｉｏｃｈｅｍ．Ｐｈａｒｍａｃｏｌ．　５８：１２０１−１２０８　（１９９９）；Ｒｉｆｋｉｎｄ　Ａ．Ｂ．　ｅｔ　ａｌ．，　Ａｒｃｈ．Ｂｉｏｃｈｅｍ．Ｂｉｏｐｈｙｓ．　３２０：３８０−３８９　（１９９５））。
【０００５】
ＣＹＰ２Ｃ８については、ＣＹＰ２Ｃ８触媒パクリタキセル　６α−ヒドロキシル化の活性、並びに、ロシグリタゾンのＮ−脱メチル化、及びｐ−ヒドロキシル化の活性が、ヒト肝臓パネルからのミクロソームで、最大３８倍まで異なることが報告されている（前述、Ｓｏｎｎｉｃｈｓｅｎ　Ｄ．Ｓ．ら；Ｂａｌｄｗｉｎ　Ｓ．Ｊ．　ｅｔ　ａｌ．，　Ｂｒ．Ｊ．Ｃｌｉｎ．Ｐｈａｒｍａｃｏｌ．　４８：４２４−４３２　（１９９９））。しかしながら、そのような活性に影響するＣＹＰ２Ｃ８の多型性、特に日本人における多型性についてはほとんど知られていない。
【０００６】
基質となる医薬品の一例として、ＣＹＰ２Ｃ８がその代謝に関与するパクリタキセルは、最初にイチイ属Ｔａｘｕｓ　ｂｒｅｖｉｆｏｌｉａより単離されたタキソールとも呼ばれるジテルペン誘導体のアルカロイドである（Ｗａｎｉ　Ｍ．Ｃ．，　Ｊ．Ａｍ．Ｃｈｅｍ．Ｓｏｃ．　９３：２３２５　（１９７１））。微小管重合を促進することにより細胞分裂を抑制する抗癌剤であり、卵巣癌、非小細胞肺癌、乳癌、及び胃癌に対して効果を有することが知られている（例えば、Ｋｉｎｇｓｔｏｎ　Ｄ．Ｇ．Ｉ．　ｅｔ　ａｌ．，　Ｓｔｕｄｉｅｓ　ｉｎ　Ｏｒｇａｎｉｃ　Ｃｈｅｍｉｓｔｒｙ　２６，ｐｐ．２１９−２３５，　Ａｔｔａｕｒ−Ｒａｈｍａｎ，　Ｐ．Ｗ．　Ｌｅ　Ｑｕｅｓｎｅ編，　Ｅｌｓｅｖｉｅｒ，　Ａｍｓｔｅｒｄａｍ　（１９８６））。パクリタキセルの生体内での代謝の主経路では、ＣＹＰ２Ｃ８によりパクリタキセルは６α−ヒドロキシパクリタキセルに酸化され、胆汁中へ排泄される。パクリタキセルの使用による副作用（骨髄抑制、肝障害、嘔吐、脱毛、関節痛、発熱等）も報告されている。前述の生体内パクリタキセル代謝に働くＣＹＰ２Ｃ８の活性が弱い場合、血中及び臓器におけるパクリタキセル濃度が上昇し、高い濃度が持続されることにより副作用が強くあらわれると考えられる。従って、ＣＹＰ２Ｃ８の代謝能に関連する遺伝子置換を調べ、患者のＣＹＰ２Ｃ８代謝能に応じた量のパクリタキセルを投与することにより、副作用の発現を抑制することが可能となると考えられる。
【０００７】
ＣＹＰ２Ｃ８の遺伝子多型について、２つの報告がある。１つは、２６９位のアミノ酸がイソロイシンからフェニルアラニンに置換されたＣＹＰ２Ｃ８＊２は、パクリタキセル６α−ヒドロキシラーゼによる加水分解反応におけるＫｍ値が野生型に比して２倍に上昇するという報告である（Ｄａｉ　Ｄ　ｅｔ　ａｌ．，　Ｐｈａｒｍａｃｏｇｅｎｅｔｉｃｓ　１１：５９７−６０７　（２００１））。また、同報告では１３９位及び３９９位の２つのアミノ酸が置換した対立遺伝子ＣＹＰ２Ｃ８＊３（Ｒ１３９Ｋ／Ｋ３９９Ｒ）では、パクリタキセル代謝がほぼ消失していると報告されている。一方、日本人細胞株由来のゲノムＤＮＡより、４０４位のプロリンがアラニンに置換する塩基置換が見出され、これによりＣＹＰ２Ｃ８タンパク質の発現量が低下することにより活性の低下を招くと報告されている（Ｓｏｙａｍａ　Ａ　ｅｔ　ａｌ．，　Ｂｉｏｌ．　Ｐｈａｒｍ．　Ｂｕｌｌ．　２４：１４２７−１４３０　（２００１））。
【０００８】
【発明が解決しようとする課題】
本発明の目的は、ＣＹＰ２Ｃ８により代謝される薬物を医薬品として投与する場合に、ＣＹＰ２Ｃ８により代謝される薬物の投与量を調節し、その副作用を避ける方法を提供することである。即ち、本発明の目的はＣＹＰ２Ｃ８により代謝される薬物の投与による副作用を抑制するためのＣＹＰ２Ｃ８遺伝子の多型、特に一塩基欠失を利用した検査方法、及び該方法において使用するための検査薬、並びに、多型、特に一塩基欠失遺伝子を利用したスクリーニング方法を提供することである。
【０００９】
【課題を解決するための手段】
発明者らは種々の医薬品代謝に関与するＣＹＰ２Ｃ８における遺伝子多型を検出することを目的として、日本人５０人由来ゲノムＤＮＡよりＣＹＰ２Ｃ８遺伝子のエクソン領域を中心に解析を行い、このうち１例からエクソン３内の４７１　番目のアデニン（Ａ）の欠失によりフレームシフトを起こし、コドン１５９番目からのアミノ酸の置換を引き起こすと共に、コドン１７６番目のアミノ酸まででタンパク質翻訳を終止させる（１７７番目が終止コドンとなる）多型を見出した。
【００１０】
完全なＣＹＰ２Ｃ８遺伝子（配列番号：１）は４９０アミノ酸（配列番号：２）をコードする。従って１７６番目のアミノ酸までで翻訳を終止させる本多型（塩基配列及びアミノ酸配列を各々配列番号：３及び４として示す）により、本蛋白質の約６４％が欠失する結果となる。この欠失部分には、ＣＹＰ２Ｃ８が酵素として活性に必要な基質認識部位およびヘム結合部位が存在する（Ｇｒａｈａｍ　ＥＧ　ａｎｄ　Ｐｅｔｅｒｓｏｎ　ＪＡ，　Ａｒｃｈ．　Ｂｉｏｃｈｅｍ．　Ｂｉｏｐｈｙｓ．　３６８：２４−２９　（１９９９），　”Ｇｕｉｄｅ　ｔｏ　ｃｙｔｏｃｈｒｏｍｅ　Ｐ４５０，　ｓｔｒｕｃｔｕｒｅ　ａｎｄ　ｆｕｎｃｔｉｏｎ”　ｂｙ　Ｌｅｗｉｓ　ＤＦＶ，　ｐｕｂｌｉｓｈｅｄ　ｂｙ　Ｔａｙｌｏｒ　ａｎｄ　Ｆｒａｎｃｉｓ　Ｉｎｃ　（Ｌｏｎｄｏｎ）．　（２００１））。また、フレームシフトを起こすことから、塩基欠失の起こる１５９番目のアミノ酸から１７６番目のアミノ酸までは、３残基を除き野生型のアミノ酸とは異なるものである。以上のことから、本一塩基欠失によりＣＹＰ２Ｃ８蛋白質の機能は失われると考えられた。
【００１１】
本発明で見出されたＣＹＰ２Ｃ８の４７１番目の塩基欠失をもつヒトでは、活性を持たないＣＹＰ２Ｃ８を発現することから、体内に投与されたＣＹＰ２Ｃ８の基質となる薬物が正常に代謝されず、体内薬物濃度の上昇を招き、副作用の発現を招くと推定された。ＣＹＰ２Ｃ８により代謝される薬物の投与前に、この一塩基欠失を調べることによりＣＹＰ２Ｃ８により代謝される薬物の投与量を調節し、副作用の発現を抑制することが可能である。即ち、本発明はパクリタキセル等のＣＹＰ２Ｃ８により代謝される薬物の投与による副作用を抑制するためのＣＹＰ２Ｃ８遺伝子の多型を利用した検査方法、及び該方法において使用するための検査薬に関する。また、該多型遺伝子を利用したスクリーニング方法に関する。
【００１２】
本発明により、抗癌剤パクリタキセルの代謝に関与している酵素ＣＹＰ２Ｃ８の新規ＳＮＰが見出された。本発明の一塩基欠失の存在は、活性に必要な部位を含むＣＹＰ２Ｃ８タンパク質の半分以上の欠失を引き起こすものであった。ＣＹＰ２Ｃ８により代謝される薬物の投与前に、このＳＮＰを調べることによりＣＹＰ２Ｃ８により代謝される薬物の投与量を調節し、副作用の発現を抑制することが可能である。即ち、本発明はパクリタキセル等のＣＹＰ２Ｃ８により代謝される薬物の投与による副作用を抑制するためのＣＹＰ２Ｃ８遺伝子の多型を利用した検査方法、及び該方法において使用するための検査薬に関する。また、該多型遺伝子を利用したスクリーニング方法に関する。より具体的には、
（１）ＣＹＰ２Ｃ８タンパク質の半分以上の欠失を引き起こすＣＹＰ２Ｃ８遺伝子の多型を検出する工程を含む、ＣＹＰ２Ｃ８により代謝される薬物に対する代謝活性の検査方法。（２）多型が一塩基欠失である、（１）に記載の検査方法。
（３）ＣＹＰ２Ｃ８遺伝子の一塩基欠失が、ＣＹＰ２Ｃ８の１５９番目のアミノ酸からの置換をもたらし、さらに１７６番目のアミノ酸までで翻訳を終止させる（１７７番目が終止コドンとなる）ものである、（２）に記載の検査方法。
（４）以下の（ａ）〜（ｃ）の工程を含む、（１）〜（３）のいずれかに記載のＣＹＰ２Ｃ８により代謝される薬物に対する代謝活性の検査方法。
（ａ）被検者から調製されたＤＮＡ試料よりＣＹＰ２Ｃ８遺伝子を含むＤＮＡを単離する工程
（ｂ）単離したＤＮＡ試料の塩基配列を決定する工程
（ｃ）（ｂ）において決定したＤＮＡの塩基配列を、対照と比較する工程
（５）以下の（ａ）〜（ｄ）の工程を含む、（１）〜（３）のいずれかに記載のＣＹＰ２Ｃ８により代謝される薬物に対する代謝活性の検査方法。
（ａ）４７１番目の塩基部位を含むＣＹＰ２Ｃ８遺伝子断片をヌクレオチドプローブとして基板上に固定する工程
（ｂ）被検者から調製されたＤＮＡ試料よりＣＹＰ２Ｃ８遺伝子の４７１番目の塩基部位を含むＤＮＡを単離する工程
（ｃ）（ｂ）で単離したＤＮＡを（ａ）の基板と接触させる工程
（ｄ）該ＤＮＡと該基板上に固定されたヌクレオチドプローブとのハイブリダイズの強度を検出することにより、ＣＹＰ２Ｃ８遺伝子多型を検出する工程
（６）ＣＹＰ２Ｃ８遺伝子の多型を、抗体を用いて該遺伝子の変異の結果生じるアミノ酸配列の変異として検出する、（１）〜（３）のいずれかに記載のＣＹＰ２Ｃ８により代謝される薬物に対する代謝活性の検査方法。
（７）ＣＹＰ２Ｃ８遺伝子の４７１番目を含む領域に対応するＤＮＡにハイブリダイズし、少なくとも１５ヌクレオチドの鎖長を有するオリゴヌクレオチドを含む、ＣＹＰ２Ｃ８により代謝される薬物に対する代謝活性の検査薬。
（８）ＣＹＰ２Ｃ８遺伝子の４７１番目を含む領域に対応するＤＮＡにハイブリダイズするヌクレオチドプローブが固定された基板からなる、ＣＹＰ２Ｃ８により代謝される薬物に対する代謝活性の検査薬。
（９）ＣＹＰ２Ｃ８遺伝子の４７１番目を含む領域に対応するＤＮＡを増幅するように設計されたフォワードプライマー及びリバースプライマーを含む、ＣＹＰ２Ｃ８により代謝される薬物に対する代謝活性の検査薬。
（１０）以下の（ａ）〜（ｄ）の工程を含む、ＣＹＰ２Ｃ８により代謝される薬物に対する代謝活性を上昇させる医薬品候補化合物のスクリーニング方法。
（ａ）１５９番目のアミノ酸から置換し、さらに１７６番目のアミノ酸までで翻訳が終止する（１７７番目が終止コドンとなる）ＣＹＰ２Ｃ８を発現する細胞を提供する工程
（ｂ）該細胞に対し被験化合物を接触させる工程
（ｃ）被験化合物を接触させた細胞におけるＣＹＰ２Ｃ８活性を検出する工程
（ｄ）被験化合物を接触させない場合の活性と比較して、（ｃ）で検出された活性を増加させる化合物を選択する工程
（１１）（１０）記載のスクリーニング方法により得られる化合物を含む、ＣＹＰ２Ｃ８により代謝される薬物に対する代謝活性を上昇させる医薬
に関する。
【００１３】
【発明の実施の形態】
本発明者らにより、ＣＹＰ２Ｃ８遺伝子（ＧｅｎＢａｎｋ　Ａｃｃｅｓｓｉｏｎ　Ｎｏ．　ＮＭ＿０００７７０；　ＮＭ＿０００７７０のヌクレオチド配列中２４番目のＡＴＧのＡを１番目の塩基とし、これに対応するメチオニンを１番目のアミノ酸残基とする）　の４７１番目の塩基であるアデニン（Ａ）の欠失によりフレームシフトが起こり、１５９番目のアミノ酸から置換され、さらに１７６番目のアミノ酸までで翻訳が終止する（１７７番目が終止コドンとなる）新規の多型が見出された。このような塩基欠失をもつヒトでは、ＣＹＰ２Ｃ８酵素活性に必要な部位を含むタンパク質の半分以上の欠失が起こり、活性を持たないＣＹＰ２Ｃ８酵素が産生されると考えられる。この塩基欠失の結果、ＣＹＰ２Ｃ８により代謝される薬物の生体内での代謝が下がり、それらの薬物が生体内に蓄積し、副作用が発現しやすいと考えられる。従って、パクリタキセル等のＣＹＰ２Ｃ８により代謝される薬物を投与する前に、患者のＣＹＰ２Ｃ８遺伝子のこのような置換の有無について検査し、その結果に応じて投与する薬物量を調節する等の方法によりＣＹＰ２Ｃ８により代謝される薬物の副作用の発現を抑制することが可能となる。
【００１４】
多型とは、遺伝学的には、人口中１％以上の頻度で存在している１遺伝子における特定の塩基の変化と一般的には定義される。しかしながら、本発明の「多型」はこの定義に制限されず、１％未満の塩基の変化であっても「多型」に含む。本発明における多型の種類としては、例えば、一塩基多型（ＳＮＰ）から数十塩基が欠失、置換あるいは挿入されている多型等が挙げられるが、これらに制限されるものではない。さらに、多型部位の数についても特に制限はなく、１個以上の多型を有していてもよい。しかしながら、本発明の多型はこれに制限されるものではなく、ＣＹＰ２Ｃ８タンパク質の半分以上の欠失を引き起こす多型であればよい。好ましくは本発明の多型は、ＣＹＰ２Ｃ８遺伝子の一塩基欠失であり、ＣＹＰ２Ｃ８の１５９番目のアミノ酸からの置換をもたらし、さらに１７６番目のアミノ酸までで翻訳を終止させる（１７７番目が終止コドンとなる）ものである。
【００１５】
また、本発明のＣＹＰ２Ｃ８により代謝される薬物とは、ＣＹＰ２Ｃ８の作用により生体内で代謝される物質である。例えば、パクリタキセル、アミオダロン、セリバスタチン、カルマゼピン等を挙げることができるが、これらの例示に限定されるものではない。
本発明の検査方法の一つの態様は、タンパク質の半分以上を翻訳せず活性を喪失するＣＹＰ２Ｃ８遺伝子の一塩基欠失を指標とする方法である。本発明により、ＣＹＰ２Ｃ８遺伝子に生じた一塩基欠失を検出する工程を含む方法が提供される。
【００１６】
本発明においてＣＹＰ２Ｃ８遺伝子に生じた一塩基欠失は、その欠失の種類、数、部位は特に限定されないが、タンパク質の半分以上が翻訳されず、タンパク質の活性を喪失させるものである。好ましくは、このような一塩基欠失は１５９番目のアミノ酸からの置換をもたらし、さらに１７６番目のアミノ酸までで翻訳を終止させる（１７７番目が終止コドンとなる）ものである。
【００１７】
上記検査方法において、ＣＹＰ２Ｃ８遺伝子に生じた多型の検出は、例えば、被検者のＣＹＰ２Ｃ８遺伝子の塩基配列を直接決定することにより行うことができる。この方法においてはまず、被検者からＤＮＡ試料を調製する。ＤＮＡ試料は、例えば被検者の末梢血白血球、肝臓、腎臓、副腎、脳、子宮等の組織または細胞から抽出した染色体ＤＮＡ、あるいはＲＮＡを基に調製することができる。
【００１８】
本方法においては、次いで、ＣＹＰ２Ｃ８遺伝子を含むＤＮＡを単離する。該ＤＮＡの単離は、ＣＹＰ２Ｃ８遺伝子にハイブリダイズするプライマーを用いて、染色体ＤＮＡ、あるいはＲＮＡを鋳型としたＰＣＲ等によって行うことも可能である。本方法においては、次いで、単離したＤＮＡの塩基配列を決定する。単離したＤＮＡの塩基配列の決定は、当業者に公知の方法で行うことができる。
【００１９】
本方法においては、次いで、決定したＤＮＡの塩基配列を、対照と比較する。本方法における対照とは、正常な（野生型）ＣＹＰ２Ｃ８遺伝子の配列を言う。一般に健常人のＣＹＰ２Ｃ８遺伝子の配列は正常であるものと考えられることから、上記工程の「対照と比較する」とは、通常、健常人のＣＹＰ２Ｃ８遺伝子の配列と比較することを意味するが、ＧｅｎＢａｎｋに野生型として登録されているＣＹＰ２Ｃ８遺伝子の配列（ＮＭ＿０００７７０）と比較してもよい。
【００２０】
本発明の検査方法は、上記の如く直接被検者由来のＤＮＡの塩基配列を決定する方法以外に、多型の検出が可能な種々の方法によって行うことができる。例えば、以下のような方法を挙げることができる。
まず、被検者からＤＮＡ試料を調製する。次いで、調製したＤＮＡ試料を制限酵素により切断する。次いで、ＤＮＡ断片をその大きさに応じて分離する。次いで、検出されたＤＮＡ断片の大きさを、対照と比較する。また、他の一つの態様においては、まず、被検者からＤＮＡ試料を調製する。次いで、ＣＹＰ２Ｃ８遺伝子を含むＤＮＡを増幅する。さらに、増幅したＤＮＡを制限酵素により切断する。次いで、ＤＮＡ断片をその大きさに応じて分離する。次いで、検出されたＤＮＡ断片の大きさを対照と比較する。
【００２１】
このような方法としては、例えば、制限酵素断片長多型（Ｒｅｓｔｒｉｃｔｉｏｎ　Ｆｒａｇｍｅｎｔ　Ｌｅｎｇｔｈ　Ｐｏｌｙｍｏｒｐｈｉｓｍ／ＲＦＬＰ）を利用した方法やＰＣＲ−ＲＦＬＰ法等が挙げられる。具体的には、制限酵素の認識部位に変異が存在する場合、あるいは制限酵素処理によって生じるＤＮＡ断片内に塩基挿入または欠失がある場合、制限酵素処理後に生じる断片の大きさが対照と比較して変化する。この変異を含む部分をＰＣＲ法によって増幅し、それぞれの制限酵素で処理することによって、これらの変異を電気泳動後のバンドの移動度の差として検出することができる。あるいは、染色体ＤＮＡをこれらの制限酵素によって処理し、電気泳動した後、本発明のプローブＤＮＡを用いてサザンブロッティングを行うことにより、変異の有無を検出することができる。用いられる制限酵素は、それぞれの変異に応じて適宜選択することができる。この方法では、ゲノムＤＮＡ以外にも被検者から調製したＲＮＡを逆転写酵素でｃＤＮＡに変換し、これをそのまま制限酵素で切断した後、サザンブロッティングを行うことも可能である。また、このｃＤＮＡを鋳型としてＰＣＲでＣＹＰ２Ｃ８遺伝子を含むＤＮＡを増幅し、それを制限酵素で切断した後、移動度の差を調べることも可能である。
【００２２】
さらに別の方法においては、まず、被検者からＤＮＡ試料を調製する。次いで、ＣＹＰ２Ｃ８遺伝子を含むＤＮＡを増幅する。さらに、増幅したＤＮＡを一本鎖ＤＮＡに解離させる。次いで、解離させた一本鎖ＤＮＡを非変性ゲル上で分離する。分離した一本鎖ＤＮＡのゲル上での移動度を対照と比較する。
【００２３】
該方法としては、例えばＰＣＲ−ＳＳＣＰ（ｓｉｎｇｌｅ−ｓｔｒａｎｄ　ｃｏｎｆｏｒｍａｔｉｏｎ　ｐｏｌｙｍｏｒｐｈｉｓｍ、一本鎖高次構造多型）法（”Ｃｌｏｎｉｎｇ　ａｎｄ　ｐｏｌｙｍｅｒａｓｅ　ｃｈａｉｎ　ｒｅａｃｔｉｏｎ−ｓｉｎｇｌｅ−ｓｔｒａｎｄ　ｃｏｎｆｏｒｍａｔｉｏｎ　ｐｏｌｙｍｏｒｐｈｉｓｍ　ａｎａｌｙｓｉｓ　ｏｆ　ａｎｏｎｙｍｏｕｓ　Ａｌｕ　ｒｅｐｅａｔｓ　ｏｎ　ｃｈｒｏｍｏｓｏｍｅ　１１”．　Ｇｅｎｏｍｉｃｓ．　１９９２　Ｊａｎ　１；　１２（１）：　１３９−１４６．；　”Ｄｅｔｅｃｔｉｏｎ　ｏｆ　ｐ５３　ｇｅｎｅ　ｍｕｔａｔｉｏｎｓ　ｉｎ　ｈｕｍａｎ　ｂｒａｉｎ　ｔｕｍｏｒｓ　ｂｙ　ｓｉｎｇｌｅ−ｓｔｒａｎｄ　ｃｏｎｆｏｒｍａｔｉｏｎ　ｐｏｌｙｍｏｒｐｈｉｓｍ　ａｎａｌｙｓｉｓ　ｏｆ　ｐｏｌｙｍｅｒａｓｅ　ｃｈａｉｎ　ｒｅａｃｔｉｏｎ　ｐｒｏｄｕｃｔｓ．”　Ｏｎｃｏｇｅｎｅ．　１９９１　Ａｕｇ１；　６（８）：　１３１３−１３１８．；　”Ｍｕｌｔｉｐｌｅ　ｆｌｕｏｒｅｓｃｅｎｃｅ−ｂａｓｅｄ　ＰＣＲ−ＳＳＣＰ　ａｎａｌｙｓｉｓ　ｗｉｔｈ　ｐｏｓｔｌａｂｅｌｉｎｇ．”、ＰＣＲ　Ｍｅｔｈｏｄｓ　Ａｐｐｌ．　１９９５　Ａｐｒ　１；　４（５）：　２７５−２８２）が挙げられる。この方法は操作が比較的簡便であり、また被検試料の量も少なくて済む等の利点を有するため、特に多数のＤＮＡ試料をスクリーニングするのに好適である。その原理は次の通りである。二本鎖ＤＮＡ断片を一本鎖に解離すると、各鎖はその塩基配列に依存した独自の高次構造を形成する。この解離したＤＮＡ鎖を、変性剤を含まないポリアクリルアミドゲル中で電気泳動すると、それぞれの高次構造の差に応じて、相補的な同じ鎖長の一本鎖ＤＮＡがゲル内の異なる位置に移動する。一塩基の置換・欠失・挿入によってもこの一本鎖ＤＮＡの高次構造は変化し、ポリアクリルアミドゲル電気泳動において異なる移動度を示す。従って、この移動度の変化を検出することによりＤＮＡ断片に点突然変異や欠失、あるいは挿入等による変異が存在することを検出することができる。
【００２４】
具体的には、まず、ＣＹＰ２Ｃ８遺伝子を含むＤＮＡをＰＣＲ法等によって増幅する。増幅される範囲としては、通常２００〜４００ｂｐ程度の長さが好ましい。ＰＣＲは、当業者においては反応条件等を適宜選択して行うことができる。ＰＣＲの際に、３２Ｐ等のアイソトープ、蛍光色素、またはビオチン等によって標識したプライマーを用いることにより、増幅ＤＮＡ産物を標識することができる。あるいはＰＣＲ反応液に３２Ｐ等のアイソトープ、蛍光色素、またはビオチン等によって標識された基質塩基を加えてＰＣＲを行うことにより、増幅ＤＮＡ産物を標識することも可能である。さらに、ＰＣＲ反応後にクレノウ酵素等を用いて、３２Ｐ等のアイソトープ、蛍光色素、またはビオチン等によって標識された基質塩基を、増幅ＤＮＡ断片に付加することによっても標識を行うことができる。こうして得られた標識ＤＮＡ断片を、熱を加えること等により変性させ、尿素などの変性剤を含まないポリアクリルアミドゲルによって電気泳動を行う。この際、ポリアクリルアミドゲルに適量（５〜１０％程度）のグリセロールを添加することにより、ＤＮＡ断片の分離の条件を改善することができる。また、泳動条件は各ＤＮＡ断片の性質により変動するが、通常、室温（２０〜２５℃）で行い、好ましい分離が得られないときには４から３０℃までの温度で最適の移動度を与える温度の検討を行う。電気泳動後、ＤＮＡ断片の移動度を、Ｘ線フィルムを用いたオートラジオグラフィーや、蛍光を検出するスキャナー等で検出し、解析を行う。移動度に差があるバンドが検出された場合、このバンドを直接ゲルから切り出し、ＰＣＲによって再度増幅し、それを直接シークエンシングすることにより、変異の存在を確認することができる。また、標識したＤＮＡを使わない場合においても、電気泳動後のゲルをエチジウムブロマイドや銀染色法などによって染色することによって、バンドを検出することができる。
【００２５】
さらに別の方法では、まず、被検者からＤＮＡ試料を調製する。次いで、ＣＹＰ２Ｃ８遺伝子を含むＤＮＡを増幅する。さらに、増幅したＤＮＡを、ＤＮＡ変性剤の濃度が次第に高まるゲル上で分離する。次いで、分離したＤＮＡのゲル上での移動度を対照と比較する。
【００２６】
このような方法としては、例えば、変性剤濃度勾配ゲル（ｄｅｎａｔｕｒａｎｔ　ｇｒａｄｉｅｎｔ　ｇｅｌ　ｅｌｅｃｔｒｏｐｈｏｒｅｓｉｓ：　ＤＧＧＥ法）等を例示することができる。ＤＧＧＥ法は、変性剤の濃度勾配のあるポリアクリルアミドゲル中で、ＤＮＡ断片の混合物を泳動し、それぞれの不安定性の違いによってＤＮＡ断片を分離する方法である。ミスマッチのある不安定なＤＮＡ断片が、ゲル中のある変性剤濃度の部分まで移動すると、ミスマッチ周辺のＤＮＡ配列はその不安定さのために、部分的に１本鎖へと解離する。この部分的に解離したＤＮＡ断片の移動度は、非常に遅くなり、解離部分のない完全な二本鎖ＤＮＡの移動度と差がつくことから、両者を分離することができる。具体的には、ＣＹＰ２Ｃ８遺伝子を含むＤＮＡを本発明のプライマー等を用いたＰＣＲ法等によって増幅し、これを尿素などの変性剤の濃度が移動するに従って徐々に高くなっているポリアクリルアミドゲル中で電気泳動し、対照と比較する。変異が存在するＤＮＡ断片の場合、より低い変性剤濃度位置でＤＮＡ断片が一本鎖になり、極端に移動速度が遅くなるため、この移動度の差を検出することにより変異の有無を検出することができる。
【００２７】
さらに別の方法では、まず、被検者から調製したＣＹＰ２Ｃ８遺伝子を含むＤＮＡ、および該ＤＮＡとハイブリダイズするヌクレオチドプローブが固定された基板を用意する。次いで、該ＤＮＡと該基板を接触させる。さらに、基板に固定されたヌクレオチドプローブにハイブリダイズしたＤＮＡを検出することにより、ＣＹＰ２Ｃ８遺伝子多型を検出する。
【００２８】
このような方法としては、ＤＮＡアレイ法（ＳＮＰ遺伝子多型の戦略、松原謙一・榊佳之、中山書店、ｐ１２８−１３５，　２０００）が例示できる。被検者からのＣＹＰ２Ｃ８遺伝子を含むＤＮＡ試料の調製は、当業者に周知の方法で行うことができる。該ＤＮＡ試料の調製の好ましい態様においては、例えば被検者の末梢血白血球、肝臓、腎臓、副腎、脳、子宮等の組織または細胞から抽出した染色体ＤＮＡを基に調製することができる。染色体ＤＮＡから本方法のＤＮＡ試料を調製するには、例えばＣＹＰ２Ｃ８遺伝子を含むＤＮＡにハイブリダイズするプライマーを用いて、染色体ＤＮＡを鋳型としたＰＣＲ等によってＣＹＰ２Ｃ８遺伝子を含むＤＮＡを調製することも可能である。調製したＤＮＡ試料には、必要に応じて、当業者に周知の方法によって検出のための標識を施すことができる。
【００２９】
本発明において用いられる「基板」とは、ヌクレオチドを固定することができる板状の材料を意味する。本発明においてヌクレオチドには、オリゴヌクレオチドおよびポリヌクレオチドが含まれる。本発明の基板は、ヌクレオチドを固定することが可能であれば特に制限はないが、一般にＤＮＡアレイ技術で使用される基板が好適に用いられる。
【００３０】
一般にＤＮＡアレイは、高密度に基板にプリントされた何千ものヌクレオチドで構成されている。通常これらのＤＮＡは非透過性（ｎｏｎ−ｐｏｕｒｏｕｓ）の基板の表層にプリントされる。基板の表層は、一般的にはガラスであるが、透過性（ｐｏｒｏｕｓ）の膜、例えばニトロセルロースメンブレンを使用することもできる。
【００３１】
本発明において、ヌクレオチドの固定（アレイ）方法として、Ａｆｆｙｍｅｔｒｉｘ社により開発されたオリゴヌクレオチドを基本としたアレイが例示される。オリゴヌクレオチドのアレイにおいて、オリゴヌクレオチドは通常インサイチュ（ｉｎ　ｓｉｔｕ）で合成される。例えば、ｐｈｏｔｏｌｉｔｈｏｇｒａｐｈｉｃの技術（Ａｆｆｙｍｅｔｒｉｘ社）、および化学物質を固定させるためのインクジェット（Ｒｏｓｅｔｔａ　Ｉｎｐｈａｒｍａｔｉｃｓ社）技術等によるオリゴヌクレオチドのインサイチュ合成法が既に知られており、いずれの技術も本発明の基板の作製に利用することができる。
【００３２】
基板に固定するヌクレオチドプローブは、ＣＹＰ２Ｃ８タンパク質の半分以上の欠失を引き起こすＣＹＰ２Ｃ８遺伝子の多型を検出することができるものであれば、特に制限されない。特に好ましくは、ＣＹＰ２Ｃ８の１５９番目のアミノ酸からの置換をもたらし、さらに１７６番目のアミノ酸までで翻訳を終止させる（１７７番目が終止コドンとなる）ＣＹＰ２Ｃ８遺伝子の一塩基欠失を検出するヌクレオチドプローブが使用される。即ち、該プローブは、例えば、野生型のＣＹＰ２Ｃ８遺伝子、あるいは多型（一塩基欠失）を有するＣＹＰ２Ｃ８遺伝子と特異的にハイブリダイズするようなプローブである。特異的なハイブリダイズが可能であれば、ヌクレオチドプローブは、検出するＣＹＰ２Ｃ８遺伝子を含むＤＮＡ、または一塩基欠失を有するＣＹＰ２Ｃ８遺伝子に対し、完全に相補的である必要はない。
【００３３】
発明において基板に結合させるヌクレオチドプローブの長さは、オリゴヌクレオチドを固定する場合は、通常１０〜１００ベースであり、好ましくは１０〜５０ベースであり、さらに好ましくは１５〜２５ベースである。
【００３４】
本発明においては、次いで、該ｃＤＮＡ試料と該基板を接触させる。本工程により、上記ヌクレオチドプローブに対し、ＤＮＡ試料がハイブリダイズされる。ハイブリダイゼーションの反応液および反応条件は、基板に固定するヌクレオチドプローブの長さ等の諸要因により変動しうるが、一般的に当業者に周知の方法により行うことができる。
【００３５】
本発明においては、次いで、該ＤＮＡ試料と基板に固定されたヌクレオチドプローブとのハイブリダイズの有無または強度を検出する。この検出は、例えば、蛍光シグナルをスキャナー等によって読み取ることによって行うことができる。尚、ＤＮＡアレイにおいては、一般的にスライドガラスに固定したＤＮＡをプローブといい、一方溶液中のラベルしたＤＮＡをターゲットという。従って、基板に固定された上記ヌクレオチドを、本明細書においてヌクレオチドプローブと記載する。
【００３６】
上記の方法以外にも、特定位置の一塩基欠失を含む変異のみを検出する目的にはアレル特異的オリゴヌクレオチド（Ａｌｌｅｌｅ　Ｓｐｅｃｉｆｉｃ　Ｏｌｉｇｏｎｕｃｌｅｏｔｉｄｅ／ＡＳＯ）ハイブリダイゼーション法が利用できる。変異が存在すると考えられる塩基配列を含むオリゴヌクレオチドを作製し、これと試料ＤＮＡでハイブリダイゼーションを行わせると、一塩基欠失を含む変異が存在する場合、ハイブリッド形成の効率が低下する。それをサザンブロット法や、特殊な蛍光試薬がハイブリッドのギャップにインターカレーションすることにより消光する性質を利用した方法、等により検出することができる。また、リボヌクレアーゼＡミスマッチ切断法による検出も可能である。具体的には、ＣＹＰ２Ｃ８遺伝子を含むＤＮＡをＰＣＲ法等によって増幅し、これをプラスミドベクター等に組み込んだＣＹＰ２Ｃ８遺伝子ｃＤＮＡ等から調製した標識ＲＮＡとハイブリダイゼーションを行う。一塩基欠失を含む変異が存在する部分においてはハイブリッドが一本鎖構造となるので、この部分をリボヌクレアーゼＡによって切断し、これをオートラジオグラフィー等で検出することによって変異の存在を検出することができる。
【００３７】
また、本発明はＣＹＰ２Ｃ８遺伝子の多型を、抗体を用いて該遺伝子の変異の結果生じるアミノ酸配列の変異として検出する、ＣＹＰ２Ｃ８により代謝される薬物に対する代謝活性の検査方法に関する。ＣＹＰ２Ｃ８遺伝子の多型によりＣＹＰ２Ｃ８酵素のアミノ酸配列に変異が生じる場合、このような多型はアミノ酸配列の変異部分に対する抗体を用いて検出することができる。本発明において新たに見出されたＣＹＰ２Ｃ８遺伝子の変異はＣＹＰ２Ｃ８タンパク質の半分以上の欠失を引き起こす多型であることから、当該多型の結果、欠失するタンパク質部分を抗原とする抗体を用いることにより検出することが可能であり、本発明の検出方法はこのような抗体を用いた方法を含む。本方法において使用される抗体としては、ポリクローナル抗体及びモノクローナル抗体が挙げられ、さらには抗原結合性を有するそれらの断片を用いることもできる。また、全てのクラスの抗体を利用することができる。さらに、ヒト抗体、ヒト化抗体、二特異性抗体等、公知の特殊な形態の抗体であってもよい。
【００３８】
ポリクローナル抗体は、ＣＹＰ２Ｃ８の欠失される部分（特に、１５９番目以降のアミノ酸部分）に対応するペプチドをマウス、ラット等の動物に免疫して周知の方法（Ｃｕｒｒｅｎｔ　ｐｒｏｔｏｃｏｌｓ　ｉｎ　Ｍｏｌｅｃｕｌａｒ　Ｂｉｏｌｏｇｙ，　ｅｄｉｔ．　Ａｕｓｕｂｅｌ　ｅｔ　ａｌ．　（１９８７）　ｐｕｂｌｉｓｈ．　Ｊｏｈｎ　Ｗｉｌｅｙ　＆　Ｓｏｎｓ，　Ｓｅｃｔｉｏｎ　１１．１２〜１１．１３）により得ることができる。また、モノクローナル抗体は該ペプチドで免疫した動物から抗体産生細胞を単離し、骨髄腫細胞等の細胞と融合させハイブリドーマ細胞を作製し、該ハイブリドーマ細胞から産生させることができる（Ｃｕｒｒｅｎｔ　ｐｒｏｔｏｃｏｌｓ　ｉｎ　Ｍｏｌｅｃｕｌａｒ　Ｂｉｏｌｏｇｙ，　ｅｄｉｔ．　Ａｕｓｕｂｅｌ　ｅｔ　ａｌ．　（１９８７）　ｐｕｂｌｉｓｈ．　Ｊｏｈｎ　Ｗｉｌｅｙ　＆　Ｓｏｎｓ，　Ｓｅｃｔｉｏｎ　１１．４〜１１．１１）。また、ヒト抗体（例えば、”Ｆｕｎｃｔｉｏｎａｌ　ｔｒａｎｓｐｌａｎｔ　ｏｆ　ｍｅｇａｂａｓｅ　ｈｕｍａｎ　ｉｍｍｕｎｏｇｌｏｂｕｌｉｎ　ｌｏｃｉ　ｒｅｃａｐｉｔｕｌａｔｅｓ　ｈｕｍａｎ　ａｎｔｉｂｏｄｙ　ｒｅｓｐｏｎｓｅ　ｉｎ　ｍｉｃｅ”，　Ｍｅｎｄｅｚ　Ｍ．Ｊ．　ｅｔ　ａｌ．　（１９９７）　Ｎａｔ．　Ｇｅｎｅｔ．　１５：　１４６−１５６）、ヒト化抗体（Ｍｅｔｈｏｄｓ　ｉｎ　Ｅｎｚｙｍｏｌｏｇｙ　２０３：　９９−１２１　（１９９１））等の特殊な抗体も周知技術に従って製造することができる。
【００３９】
その他の本発明の多型の検出が可能な方法としては、
１）質量分析法による方法（Ｇｒｉｆｆｉｎ　ＴＪ　ａｎｄ　Ｓｍｉｔｈ　ＬＭ，　Ｔｒｅｎｄｓ　Ｂｉｏｔｅｃｈｎｏｌ．　ｖｏｌ．１８，　ｐｐ７７−８４，　（２０００））、
２）Ｔａｑ−Ｍａｎ　ＰＣＲによる方法（Ｌｉｖａｋ　ＫＪ．　Ｇｅｎｅｔ．　Ａｎａｌ．　ｖｏｌ．１４，　ｐｐ１４３−１４９，　（１９９９）、ＣＹＰへの応用例：Ｈｉｒａｔｓｕｋａ　Ｍ　ｅｔ　ａｌ．，　Ｂｉｏｌ．　Ｐｈａｒｍ．　Ｂｕｌｌ．　ｖｏｌ．２３，　ｐｐ１１３１−１１３５，　（２０００））、
３）Ｐｙｒｏｓｅｑｕｅｎｃｉｎｇによる方法（Ａｈｍａｄｉａｎ　Ａ　ｅｔ　ａｌ．，　Ａｎａｌ．　Ｂｉｏｃｈｅｍ．　ｖｏｌ．　２８０，　ｐｐ１０３−１１０，　（２０００））、
４）Ｉｎｖａｄｅｒ法による方法（Ｌｙａｍｉｃｈｅｖ　Ｖ　ｅｔ　ａｌ．，　Ｎａｔ．　Ｂｉｏｔｅｃｈｎｏｌ．　ｖｏｌ．　１７，　ｐｐ２９２−２９６，　（１９９９）、メディカルドゥ社発行　「遺伝子医学」　ｖｏｌ．４，　Ｎｏ．１，　ｐｐ４４−５１およびｐｐ６８−７２　（２０００））
を挙げることができる。以上、種々の検出方法を例示したが、これらに限らず、ＣＹＰ２Ｃ８遺伝子の発現量を減少させる本発明のＣＹＰ２Ｃ８遺伝子に生じた多型（特に一塩基欠失）の検出を可能にする方法であれば、いかなる方法を用いることができる。
【００４０】
本発明はまた、ＣＹＰ２Ｃ８により代謝される薬物に対する代謝活性を検査するための検査薬を提供する。
その一つの態様は、ＣＹＰ２Ｃ８遺伝子の４７１番目を含む領域に対応するＤＮＡにハイブリダイズし、少なくとも１５ヌクレオチドの鎖長を有するオリゴヌクレオチドを含む、ＣＹＰ２Ｃ８により代謝される薬物に対する代謝活性の検査薬である。これは遺伝子多型を指標とする検査に使用される。
【００４１】
該オリゴヌクレオチドは、ＣＹＰ２Ｃ８遺伝子を含むＤＮＡに特異的にハイブリダイズするものである。ここで「特異的にハイブリダイズする」とは、通常のハイブリダイゼーション条件下、好ましくはストリンジェントなハイブリダイゼーション条件下（例えば、サムブルックら，Ｍｏｌｅｃｕｌａｒ　Ｃｌｏｎｉｎｇ，Ｃｏｌｄ　Ｓｐｒｉｎｇ　Ｈａｒｂｏｕｒ　Ｌａｂｏｒａｔｏｒｙ　Ｐｒｅｓｓ，Ｎｅｗ　Ｙｏｒｋ，ＵＳＡ，第２版１９８９に記載の条件）において、他のタンパク質をコードするＤＮＡとクロスハイブリダイゼーションを有意に生じないことを意味する。特異的なハイブリダイズが可能であれば、該オリゴヌクレオチドは、検出するＣＹＰ２Ｃ８遺伝子の塩基配列に対し、完全に相補的である必要はない。
【００４２】
該オリゴヌクレオチドは、上記本発明の検査方法におけるプローブやプライマーとして用いることができる。該オリゴヌクレオチドをプライマーとして用いる場合、その長さは、通常１５ｂｐ〜１００ｂｐであり、好ましくは１７ｂｐ〜３０ｂｐである。プライマーは、多型（好ましくは一塩基欠失）部分を含むＣＹＰ２Ｃ８遺伝子の少なくとも一部を増幅しうるものであれば、特に制限されない。
【００４３】
また、上記オリゴヌクレオチドをプローブとして使用する場合、該プローブは、ＣＹＰ２Ｃ８遺伝子の４７１番目の塩基を含む領域に対応するＤＮＡに特異的にハイブリダイズするものであれば、特に制限されない。該プローブは、合成オリゴヌクレオチドであってもよく、通常少なくとも１５ｂｐ以上の鎖長を有する。
【００４４】
本発明のオリゴヌクレオチドは、例えば市販のオリゴヌクレオチド合成機により作製することができる。プローブは、制限酵素処理等によって取得される二本鎖ＤＮＡ断片として作製することもできる。
【００４５】
本発明のオリゴヌクレオチドをプローブとして用いる場合は、適宜標識して用いることが好ましい。標識する方法としては、Ｔ４ポリヌクレオチドキナーゼを用いて、オリゴヌクレオチドの５’端を３２Ｐでリン酸化することにより標識する方法、およびクレノウ酵素等のＤＮＡポリメラーゼを用い、ランダムヘキサマーオリゴヌクレオチド等をプライマーとして３２Ｐ等のアイソトープ、蛍光色素、またはビオチン等によって標識された基質塩基を取り込ませる方法（ランダムプライム法等）を例示することができる。
【００４６】
また、本発明における検査薬の別の態様は、ＣＹＰ２Ｃ８遺伝子の４７１番目の塩基を含む領域に対応するＤＮＡとハイブリダイズするヌクレオチドプローブが固定された基板からなるＣＹＰ２Ｃ８により代謝される薬物に対する代謝活性の検査薬である。これは遺伝子多型を指標とする検査に使用される。これらは、上述の方法に従って調製することができる。
【００４７】
また、本発明における検査薬の別の態様は、ＣＹＰ２Ｃ８遺伝子の４７１番目を含む領域に対応するＤＮＡを増幅するように設計されたフォワードプライマー及びリバースプライマーを含む、ＣＹＰ２Ｃ８により代謝される薬物に対する代謝活性の検査薬である。プライマーの長さは、通常１５ｂｐ〜１００ｂｐであり、好ましくは１７ｂｐ〜３０ｂｐである。プライマーは、多型部分を含むＣＹＰ２Ｃ８遺伝子の少なくとも一部を増幅しうるものであれば、特に制限されない。
【００４８】
上記の検査薬においては、有効成分であるオリゴヌクレオチド以外に、例えば、滅菌水、生理食塩水、植物油、界面活性剤、脂質、溶解補助剤、緩衝剤、タンパク質安定剤（ＢＳＡやゼラチンなど）、保存剤等が必要に応じて混合されていてもよい。
【００４９】
また本発明は、ＣＹＰ２Ｃ８により代謝される薬物に対する代謝活性を上昇させる医薬品候補化合物のスクリーニング方法を提供する。
上記スクリーニング方法の一つの態様は、ＣＹＰ２Ｃ８の活性を指標とした方法である。本方法においては、まず、１５９番目のアミノ酸から置換され、さらに１７６番目のアミノ酸までで翻訳が終止する（１７７番目が終止コドンとなる）ＣＹＰ２Ｃ８遺伝子を発現する細胞に、被験化合物を接触させる。用いられる「細胞」の由来としては、例えば、ヒト、サル、マウス、ラット、ウシ、ブタ、イヌ等に由来する細胞が挙げられるが、これらの由来に制限されない。「１５９番目のアミノ酸から置換され、さらに１７６番目のアミノ酸までで翻訳が終止する（１７７番目が終止コドンとなる）ＣＹＰ２Ｃ８遺伝子を発現する細胞」としては、内因性の１５９番目のアミノ酸から置換され、さらに１７６番目のアミノ酸までで翻訳が終止する（１７７番目が終止コドンとなる）ＣＹＰ２Ｃ８遺伝子を発現している細胞、または外因性の遺伝子が導入され、該遺伝子が発現している細胞を利用することができる。外因性の１５９番目のアミノ酸から置換され、さらに１７６番目のアミノ酸までで翻訳が終止する（１７７番目が終止コドンとなる）ＣＹＰ２Ｃ８遺伝子が発現する細胞は、通常、該遺伝子が挿入された発現ベクターを宿主細胞へ導入することにより作製することができる。該発現ベクターは、一般的な遺伝子工学技術によって作製することができる。
【００５０】
本方法に用いる被検化合物としては、例えば、天然化合物、有機化合物、無機化合物、タンパク質、ペプチドなどの単一化合物、並びに、化合物ライブラリー、遺伝子ライブラリーの発現産物、細胞抽出物、細胞培養上清、発酵微生物産生物、海洋生物抽出物、植物抽出物等を挙げることができる。
【００５１】
１５９番目のアミノ酸から置換され、さらに１７６番目のアミノ酸までで翻訳が終止する（１７７番目が終止コドンとなる）ＣＹＰ２Ｃ８遺伝子を発現する細胞への被験化合物の「接触」は、通常、該遺伝子を発現する細胞の培養液に被験化合物を添加することによって行うが、この方法に限定されない。被験化合物がタンパク質等の場合には、該タンパク質を発現するＤＮＡベクターを、該細胞へ導入することにより、「接触」を行うことができる。
【００５２】
本方法においては、次いで、該遺伝子の発現産物であるＣＹＰ２Ｃ８の活性を測定する。ＣＹＰ２Ｃ８の活性の測定は、ＣＹＰ２Ｃ８により代謝される薬物、例えば、パクリタキセル、アミオダロン、セリバスタチン及びカルマゼピン等、並びに、レチノイド及び脂肪酸等を酸化する活性を測定することにより測ることができる。例えば、パクリタキセルはＣＹＰ２Ｃ８により酸化され６α−ヒドロキシル化物に変換される。このようなパクリタキセル６α−ヒドロキシラーゼ活性の測定方法については、例えば、Ｗａｌｌｅ　Ｔ．（Ｍｅｔｈｏｄｓ　Ｅｎｚｙｍｏｌ．　２７２：１４５−１５１　（１９９６））により報告されている。
【００５３】
本方法においては、次いで、測定したＣＹＰ２Ｃ８活性を、被験化合物の非存在下において測定した場合の活性と比較して、活性を上昇させる化合物を選択する。このようにして選択された化合物は、抗癌薬パクリタキセル、ＨＭＧ−ＣｏＡレダクターゼ阻害剤セリバスタチン、抗痙攣薬カルマゼピン、抗糖尿病薬トログリタゾン、及び、抗不整脈薬アミオダロン等のＣＹＰ２Ｃ８により代謝される治療薬を投与する際に併用することにより、それらの治療薬による副作用を抑制するのに役立つと考えられる。また、全トランス−レチノイン酸及びアラキドン酸を含むレチノイド、並びに脂肪酸の酸化に関与する疾病の治療または予防のための医薬品候補化合物となる。即ち、本発明はさらに、このようなスクリーニング方法により得られる化合物を含む、ＣＹＰ２Ｃ８により代謝される薬物に対する代謝活性を上昇させる医薬に関する。
【００５４】
本発明のスクリーニング方法により取得される化合物は、分子自体を被検者に投与することも可能であるが、一般的に公知の製剤学的方法により製剤化して投与することも可能である。例えば経口投与の場合、錠剤、散剤、カプセル剤、懸濁液剤等、経皮投与の場合、ハップ剤等を示すことができるが、これらに制限されない。投与方法は、治療効果や予防効果を示し得る限り特に制限はなく、例えば経口投与、経皮投与、注射による血中投与等が考えられる。これらの化合物がＤＮＡである場合、該ＤＮＡを生体内に投与する際には、レトロウイルス、アデノウイルス、センダイウイルスなどのウイルスベクターやリポソーム等の非ウイルスベクター、或いは、ｎａｋｅｄ　ＤＮＡの形態で利用することができる。投与方法としては、ｉｎ　ｖｉｖｏ法およびｅｘ　ｖｉｖｏ法を例示することができる。
【００５５】
【実施例】
以下、本発明を実施例によりさらに具体的に説明するが、本発明はこれらの実施例により何ら制限されるものではない。
［実施例１］　ＣＹＰ２Ｃ８遺伝子の配列決定
ＣＹＰ２Ｃ８のゲノム配列（ＮＣＢＩ，　ＮＴ＿００８８７８）に基づき、下記表１に示すＣＹＰ２Ｃ８特異的ＣＹＰ２Ｃ８遺伝子全領域増幅用プライマーを設計した。
【００５６】
【表１】
ＣＹＰ２Ｃ８遺伝子全領域増幅用プライマーセット（Ｚ−Ｔａｑ　Ｐｒｉｍｅｒ）
2004024007.tif 000002
【００５７】
まず、全長増幅用のプライマーセット（表１，各０．２μＭ）とＺ−Ｔａｑ　（１．２５　ｕｎｉｔｓ；　Ｔａｋａｒａ　Ｓｈｕｚｏ，　Ｋｙｏｔｏ，　Ｊａｐａｎ）を用いて、５０人の日本人由来ゲノムＤＮＡ（２００　ｎｇ）について、ＣＹＰ２Ｃ８遺伝子の全長を増幅した。この際の反応液の全量は１００μｌで、ＰＣＲの条件は、「９８℃で５秒、５５℃で５秒および７２℃で１９０秒」を２５サイクルであった。
【００５８】
ＣＹＰ２Ｃ８遺伝子全領域増幅用プライマーと同様に、ＣＹＰ２Ｃ８のゲノム配列（ＮＣＢＩ，　ＮＴ＿００８８７８）に基づき下記表２に示す配列を有する各エクソン増幅用のプライマーを設計した。
【００５９】
【表２】
エクソン増幅用プライマーセット
2004024007.tif 000003
【００６０】
次に各エクソンのＰＣＲ増幅用プライマーセット（表２、各０．２μＭ）を用いて、ＣＹＰ２Ｃ８遺伝子の全エクソンを含むＤＮＡ断片（反応液を２μｌ用いる）より、各エクソンを含むＤＮＡ断片をＥｘ−Ｔａｑ（０．６２５　ｕｎｉｔｓ；　Ｔａｋａｒａ　Ｓｈｕｚｏ，　Ｋｙｏｔｏ，　Ｊａｐａｎ）を用いて増幅した。この際の反応液の全量は５０μＬで、ＰＣＲの条件は、９４℃で５分処理後、「９４℃で３０秒、５５℃で１分および７２℃で２分」を３０サイクル行い、その後７２℃で７分処理した。その後、ＰＣＲ増幅産物のうち５μＬにＰＣＲ　Ｐｒｏｄｕｃｔ　Ｐｒｅ−Ｓｅｑｕｅｎｃｉｎｇ　Ｋｉｔ（ＵＳＢ　Ｃｏ．，Ｃｌｅｖｅｌａｎｄ，　ＯＨ）に含まれるＥｘｏｎｕｃｌｅａｓｅ　Ｉを０．２μＬ、Ｓｈｒｉｍｐ　ａｌｋａｌｉｎｅ　ｐｈｏｓｐｈａｔａｓｅを０．２μＬ、精製水を１．６μＬ加えて３７℃で１５分、８０℃で１５分処理し、その後４℃に冷却した。
【００６１】
ＣＹＰ２Ｃ８遺伝子全領域増幅用プライマー及び各エクソン増幅用プライマーと同様に、ＣＹＰ２Ｃ８のゲノム配列（ＮＣＢＩ，　ＮＴ＿００８８７８）に基づき下記表３に示す配列を有する各エクソンについてシークエンス用のプライマーを設計した。
【００６２】
【表３】
シークエンス用プライマーセット
2004024007.tif 000004
＊４７１番目のアデニン塩基の欠失を確認するために使用
【００６３】
ＰＣＲにより増幅した産物の両鎖につき表３のプライマーを用いて、ＡＢＩ　ＢｉｇＤｙｅ　Ｔｅｒｍｉｎａｔｏｒ　Ｃｙｃｌｅ　Ｓｅｑｕｅｎｃｉｎｇ　Ｋｉｔ（Ｖｅｒｓｉｏｎ　２，　Ａｐｐｌｉｅｄ　Ｂｉｏｓｙｓｔｅｍｓ，　Ｆｏｓｔｅｒ　Ｃｉｔｙ，　ＣＡ）により直接塩基配列を決定した。即ち、計２．８　μＬのＰＣＲ増幅産物に１　μＭのプライマーを３．２μＬ、ＢｉｇＤｙｅ（Ｖｅｒ．　２）を４　μＬ、５ｘ　Ｓｅｑｕｅｎｃｉｎｇ　ｂｕｆｆｅｒを２　μＬ、精製水８μＬを加え合計２０μＬとして「９６℃で１０秒、５０℃で５秒、６０℃で４分」を２５サイクル行い、その後、４℃に冷却した。過剰な色素をＤｙｅＥｘ９６　ｐｌａｔｅ（Ｑｉａｇｅｎ，　Ｈｉｌｄｅｎ，　Ｇｅｒｍａｎｙ）を用いて除去し、溶出液全量２０μＬをＡＢＩ　Ｐｒｉｓｍ　３７００　ＤＮＡＡｎａｌｙｚｅｒ（Ａｐｐｌｉｅｄ　Ｂｉｏｓｙｓｔｅｍｓ）を用いて分析した。その際、溶出液に精製水２５μＬを加え、９４℃で２分間、ヒートショックを行った。
【００６４】
その結果、日本人５０人由来ゲノムＤＮＡより薬物代謝酵素ＣＹＰ２Ｃ８遺伝子のアミノ酸コーディングエクソンを中心に解析を行い、このうち１例から４７１番目の　アデニン（Ａ）が欠失することによりフレームシフトを起こし、コドン１５９番目からのアミノ酸置換を引き起こし、さらにコドン１７６番目のアミノ酸までで翻訳を終止させる（１７７番目が終止コドンとなる）多型を見出した。本一塩基欠失によりＣＹＰ２Ｃ８タンパク質の約６４％が欠失し、さらに残る３６％のうちの約１割の部分のアミノ酸は野生型と異なる。この欠失部分には、酵素として活性に必要な基質認識部位およびヘム結合部位が存在する。よって当該塩基欠失はＣＹＰ２Ｃ８タンパク質の機能を消失させるものであり、ＣＹＰ２Ｃ８の基質となる薬物の濃度上昇を招くことから、薬物の副作用につながる一塩基欠失でありうると考えられた。
【００６５】
【発明の効果】
本発明により、ＣＹＰ２Ｃ８により代謝される薬物を医薬品として投与する場合に、ＣＹＰ２Ｃ８により代謝される薬物の投与量を調節し、その副作用を避ける方法が提供される。より具体的には、本発明によりＣＹＰ２Ｃ８により代謝される薬物の投与による副作用を抑制するためのＣＹＰ２Ｃ８遺伝子の多型（特に好ましくは一塩基欠失）を利用した検査方法、及び該方法において使用するための検査薬、並びに、多型（特に好ましくは一塩基欠失）遺伝子を利用したスクリーニング方法が提供される。
【００６６】
【配列表】
2004024007.tif 000005
2004024007.tif 000006
2004024007.tif 000007
2004024007.tif 000008
2004024007.tif 000009
2004024007.tif 000010
2004024007.tif 000011
2004024007.tif 000012
2004024007.tif 000013
2004024007.tif 000014
2004024007.tif 000015
2004024007.tif 000016
2004024007.tif 000017
2004024007.tif 000018
2004024007.tif 000019
2004024007.tif 000020
2004024007.tif 000021
2004024007.tif 000022
2004024007.tif 000023
2004024007.tif 000024